【手続補正書】
【提出日】平成26年7月18日(2014.7.18)
【手続補正１】
【補正対象書類名】特許請求の範囲
【補正対象項目名】全文
【補正方法】変更
【補正の内容】
【特許請求の範囲】
【請求項１】
所定の無線ネットワークに参加中の無線通信端末であって、
前記無線ネットワークにおける代理無線通信端末の識別子を記憶する記憶部と、
他の無線通信端末と無線通信を行う無線通信部と、
所定のイベントを受け付けるイベント受付部と、
前記所定のイベントが前記イベント受付部に受け付けられた後では、前記無線ネットワークへの参加要求および前記無線ネットワークへの参加セットアップ処理要求が受信された場合にのみ、前記参加セットアップ処理要求を無線送信した未参加無線通信端末を前記無線ネットワークに参加させる参加セットアップ処理を開始する処理部と、
前記処理部が前記参加セットアップ処理を開始してから前記参加セットアップ処理が完了するまでの間に新たな前記参加要求が受信された場合、前記記憶部に記憶されている前記識別子に対応する前記代理無線通信端末に対して前記イベントの受付を要求するイベント要求を前記無線通信部に無線送信させる制御部と、
を有する無線通信端末。
【請求項２】
前記制御部は、前記処理部が前記参加セットアップ処理を開始してから前記参加セットアップ処理が完了するまでの間に新たな前記参加要求が受信された場合、新たな前記参加要求を無線送信した前記未参加無線通信端末に対して、前記記憶部に記憶されている前記識別子に対応する前記代理無線通信端末を通知する情報を前記無線通信部に無線送信させる請求項１に記載の無線通信端末。
【請求項３】
前記制御部は、前記処理部が前記参加セットアップ処理を開始してから前記参加セットアップ処理が完了するまでの間に新たな前記参加要求が受信された場合、前記記憶部に記憶されている前記識別子に対応する前記代理無線通信端末に対して、新たな前記参加要求を無線送信した前記未参加無線通信端末に関する情報を、前記無線通信部に無線送信させる請求項１に記載の無線通信端末。
【請求項４】
前記制御部は、前記処理部が前記参加セットアップ処理を開始してから前記参加セットアップ処理が完了するまでの間に、新たな前記参加要求が受信され、かつ、新たな前記イベントが前記イベント受付部に受け付けられた場合、前記記憶部に記憶されている前記識別子に対応する前記代理無線通信端末に対して前記イベントの受付を要求するイベント要求を前記無線通信部に無線送信させる請求項１に記載の無線通信端末。
【請求項５】
前記制御部はさらに、前記イベント受付部に受け付けられた前記イベントに基づいて、前記参加セットアップ処理の方式を決定する請求項１に記載の無線通信端末。
【請求項６】
前記参加セットアップ処理の方式は、ＷＰＳ接続開始プロトコルで規定されているＰＢＣ方式またはＰＩＮ方式である請求項５に記載の無線通信端末。
【請求項７】
操作部をさらに有し、前記イベント受付部は、前記操作部の所定の操作またはアプリケーションの所定の動作により前記イベントを受け付ける請求項１に記載の無線通信端末。
【請求項８】
所定の無線ネットワークに未参加の無線通信端末を未参加端末と定義し、
所定のイベントを受け付けた後では、前記無線ネットワークへの参加要求および前記無線ネットワークへの参加セットアップ処理要求を前記未参加端末から受信した場合にのみ、前記参加セットアップ処理要求を無線送信した前記未参加端末を前記無線ネットワークに参加させる参加セットアップ処理を開始し、前記参加セットアップ処理を開始してから前記参加セットアップ処理が完了するまでの間に新たな前記参加要求を受信した場合、前記イベントの受付を要求するイベント要求を無線送信する、前記無線ネットワークに参加中の無線通信端末を参加中端末と定義するとき、
前記無線ネットワークに参加中の無線通信端末であって、
他の無線通信端末と無線通信を行う無線通信部と、
前記イベント要求が前記参加中端末から受信された場合に前記イベントを受け付けるイベント受付部と、
前記イベントが前記イベント受付部に受け付けられた後では、前記参加セットアップ処理要求が前記未参加端末から受信された場合にのみ、前記参加セットアップ処理要求を無線送信した前記未参加端末を前記無線ネットワークに参加させる参加セットアップ処理を開始する処理部と、
を有する無線通信端末。
【請求項９】
前記処理部は、前記参加中端末が前記参加セットアップ処理を開始してから前記参加セットアップ処理が完了するまでの間に前記参加中端末で受信された前記参加要求を無線送信した前記未参加端末に関する情報が前記参加中端末から受信された場合には、前記イベントが前記イベント受付部に受け付けられた後、前記情報が示す前記未参加端末から前記参加セットアップ処理要求が受信されたときのみ、前記参加セットアップ処理要求を無線送信した前記未参加端末を前記無線ネットワークに参加させる参加セットアップ処理を開始する請求項８に記載の無線通信端末。
【請求項１０】
前記処理部は、前記イベントが前記イベント受付部に受け付けられた後に前記参加要求および前記参加セットアップ処理要求が前記未参加端末から受信された場合にのみ、前記参加セットアップ処理要求を無線送信した前記未参加端末を前記無線ネットワークに参加させる参加セットアップ処理を開始する請求項８に記載の無線通信端末。
【請求項１１】
所定の無線ネットワークに参加中の無線通信端末による制御方法であって、
前記無線ネットワークにおける代理無線通信端末の識別子を記憶する記憶ステップと、
他の無線通信端末と無線通信を行う無線通信ステップと、
所定のイベントを受け付けるイベント受付ステップと、
前記所定のイベントが前記イベント受付ステップで受け付けられた後では、前記無線ネットワークへの参加要求および前記無線ネットワークへの参加セットアップ処理要求が前記無線通信ステップで受信された場合にのみ、前記参加セットアップ処理要求を無線送信した未参加無線通信端末を前記無線ネットワークに参加させる参加セットアップ処理を開始する処理ステップと、
前記処理ステップで前記参加セットアップ処理が開始されてから前記参加セットアップ処理が完了するまでの間に新たな前記参加要求が前記無線通信ステップで受信された場合、前記記憶ステップで記憶されている前記識別子に対応する前記代理無線通信端末に対して前記所定のイベントの受付を要求するイベント要求を無線送信させる制御ステップと、
を有する制御方法。
【請求項１２】
所定の無線ネットワークに未参加の無線通信端末を未参加端末と定義し、
所定のイベントを受け付けた後では、前記無線ネットワークへの参加要求および前記無線ネットワークへの参加セットアップ処理要求を前記未参加端末から受信した場合にのみ、前記参加セットアップ処理要求を無線送信した前記未参加端末を前記無線ネットワークに参加させる参加セットアップ処理を開始し、前記参加セットアップ処理を開始してから前記参加セットアップ処理が完了するまでの間に新たな前記参加要求を受信した場合、前記イベントの受付を要求するイベント要求を無線送信する、前記無線ネットワークに参加中の無線通信端末を参加中端末と定義するとき、
前記無線ネットワークに参加中の無線通信端末による制御方法であって、
他の無線通信端末と無線通信を行う無線通信ステップと、
前記イベント要求が前記参加中端末から受信された場合に前記イベントを受け付けるイベント受付ステップと、
前記イベントが前記イベント受付ステップで受け付けられた後では、前記参加セットアップ処理要求が前記未参加端末から受信された場合にのみ、前記参加セットアップ処理要求を無線送信した前記未参加端末を前記無線ネットワークに参加させる参加セットアップ処理を開始する処理ステップと、
を有する制御方法。
【手続補正２】
【補正対象書類名】明細書
【補正対象項目名】発明の名称
【補正方法】変更
【補正の内容】
【発明の名称】無線通信端末および制御方法
【手続補正３】
【補正対象書類名】明細書
【補正対象項目名】０００１
【補正方法】変更
【補正の内容】
【０００１】
本発明は、無線ネットワークに未参加の無線通信端末を無線ネットワークに参加させる参加セットアップ処理を行う無線通信端末および制御方法に関する。
【手続補正４】
【補正対象書類名】明細書
【補正対象項目名】００１４
【補正方法】変更
【補正の内容】
【００１４】
本発明は、上述した課題に鑑みてなされたものであって、複数の未参加の無線通信端末を既存の無線ネットワークに加える場合に、参加セットアップ処理の待ち時間を短くし、また全ての未参加の無線通信端末が参加済みとなるまでの時間を短縮することができる無線通信端末および制御方法を提供することを目的とする。
【手続補正５】
【補正対象書類名】明細書
【補正対象項目名】００１５
【補正方法】変更
【補正の内容】
【００１５】
本発明は、上記の課題を解決するためになされたもので、所定の無線ネットワークに参加中の無線通信端末であって、前記無線ネットワークにおける代理無線通信端末の識別子を記憶する記憶部と、他の無線通信端末と無線通信を行う無線通信部と、所定のイベントを受け付けるイベント受付部と、前記所定のイベントが前記イベント受付部に受け付けられた後では、前記無線ネットワークへの参加要求および前記無線ネットワークへの参加セットアップ処理要求が受信された場合にのみ、前記参加セットアップ処理要求を無線送信した未参加無線通信端末を前記無線ネットワークに参加させる参加セットアップ処理を開始する処理部と、前記処理部が前記参加セットアップ処理を開始してから前記参加セットアップ処理が完了するまでの間に新たな前記参加要求が受信された場合、前記記憶部に記憶されている前記識別子に対応する前記代理無線通信端末に対して前記イベントの受付を要求するイベント要求を前記無線通信部に無線送信させる制御部と、を有する無線通信端末である。
所定の無線ネットワークに未参加の無線通信端末が未参加端末と定義され、前記無線ネットワークに参加中の無線通信端末である参加中端末から無線送信されたイベント要求を受信し所定のイベントを受け付けた後では、前記未参加端末から無線送信された、前記無線ネットワークへの参加セットアップ処理要求を受信した場合にのみ、前記参加セットアップ処理要求を無線送信した前記未参加端末を前記無線ネットワークに参加させる参加セットアップ処理を開始する、前記無線ネットワークに参加中の無線通信端末が代理端末と定義される。
【手続補正６】
【補正対象書類名】明細書
【補正対象項目名】００１６
【補正方法】変更
【補正の内容】
【００１６】
また、本発明の無線通信端末において、前記制御部は、前記処理部が前記参加セットアップ処理を開始してから前記参加セットアップ処理が完了するまでの間に新たな前記参加要求が受信された場合、新たな前記参加要求を無線送信した前記未参加無線通信端末に対して、前記記憶部に記憶されている前記識別子に対応する前記代理無線通信端末を通知する情報を前記無線通信部に無線送信させる。
【手続補正７】
【補正対象書類名】明細書
【補正対象項目名】００１７
【補正方法】変更
【補正の内容】
【００１７】
また、本発明の無線通信端末において、前記制御部は、前記処理部が前記参加セットアップ処理を開始してから前記参加セットアップ処理が完了するまでの間に新たな前記参加要求が受信された場合、前記記憶部に記憶されている前記識別子に対応する前記代理無線通信端末に対して、新たな前記参加要求を無線送信した前記未参加無線通信端末に関する情報を、前記無線通信部に無線送信させる。
【手続補正８】
【補正対象書類名】明細書
【補正対象項目名】００１８
【補正方法】変更
【補正の内容】
【００１８】
また、本発明の無線通信端末において、前記制御部は、前記処理部が前記参加セットアップ処理を開始してから前記参加セットアップ処理が完了するまでの間に、新たな前記参加要求が受信され、かつ、新たな前記イベントが前記イベント受付部に受け付けられた場合、前記記憶部に記憶されている前記識別子に対応する前記代理無線通信端末に対して前記イベントの受付を要求するイベント要求を前記無線通信部に無線送信させる。
【手続補正９】
【補正対象書類名】明細書
【補正対象項目名】００２４
【補正方法】変更
【補正の内容】
【００２４】
また、本発明の無線通信端末において、前記処理部は、前記イベントが前記イベント受付部に受け付けられた後に前記参加要求および前記参加セットアップ処理要求が前記未参加端末から受信された場合にのみ、前記参加セットアップ処理要求を無線送信した前記未参加端末を前記無線ネットワークに参加させる参加セットアップ処理を開始する。
また、本発明は、所定の無線ネットワークに参加中の無線通信端末による制御方法であって、前記無線ネットワークにおける代理無線通信端末の識別子を記憶する記憶ステップと、他の無線通信端末と無線通信を行う無線通信ステップと、所定のイベントを受け付けるイベント受付ステップと、前記所定のイベントが前記イベント受付ステップで受け付けられた後では、前記無線ネットワークへの参加要求および前記無線ネットワークへの参加セットアップ処理要求が前記無線通信ステップで受信された場合にのみ、前記参加セットアップ処理要求を無線送信した未参加無線通信端末を前記無線ネットワークに参加させる参加セットアップ処理を開始する処理ステップと、前記処理ステップで前記参加セットアップ処理が開始されてから前記参加セットアップ処理が完了するまでの間に新たな前記参加要求が前記無線通信ステップで受信された場合、前記記憶ステップで記憶されている前記識別子に対応する前記代理無線通信端末に対して前記所定のイベントの受付を要求するイベント要求を無線送信させる制御ステップと、を有する制御方法である。
また、本発明は、所定の無線ネットワークに未参加の無線通信端末を未参加端末と定義し、所定のイベントを受け付けた後では、前記無線ネットワークへの参加要求および前記無線ネットワークへの参加セットアップ処理要求を前記未参加端末から受信した場合にのみ、前記参加セットアップ処理要求を無線送信した前記未参加端末を前記無線ネットワークに参加させる参加セットアップ処理を開始し、前記参加セットアップ処理を開始してから前記参加セットアップ処理が完了するまでの間に新たな前記参加要求を受信した場合、前記イベントの受付を要求するイベント要求を無線送信する、前記無線ネットワークに参加中の無線通信端末を参加中端末と定義するとき、前記無線ネットワークに参加中の無線通信端末による制御方法であって、他の無線通信端末と無線通信を行う無線通信ステップと、前記イベント要求が前記参加中端末から受信された場合に前記イベントを受け付けるイベント受付ステップと、前記イベントが前記イベント受付ステップで受け付けられた後では、前記参加セットアップ処理要求が前記未参加端末から受信された場合にのみ、前記参加セットアップ処理要求を無線送信した前記未参加端末を前記無線ネットワークに参加させる参加セットアップ処理を開始する処理ステップと、を有する制御方法である。